(57)【要約】  タバコ製品用パケットは、タバコ製品を受容するよう構成された少なくとも１つの携帯容器と、携帯容器を収容する箱型本体とを備え、箱型本体は、携帯容器が前記箱型本体に対して、携帯容器が完全に箱型本体内に挿入された状態の閉じ位置と、携帯容器の一部が箱型本体から引き出された状態の開放位置との間でスライド可能なように携帯容器を収容する。各携帯容器は、タバコ製品からなる一群を一列に並置して収容する内箱と、内箱をタバコ製品の軸線に対して平行にスライド可能に収容する外箱とを備え、以て外箱は、内箱の底壁が外箱の底壁と隣接して全てのタバコ製品が完全に内箱内に含まれるような格納位置と、内箱が外箱の上壁近くに位置して、外箱にある開口部を介してタバコ製品の一部分にアクセスできるような抽出又は持ち上げ位置との間で、内箱のスライドを可能にする。【選択図】図２
2015513502.tif 000002
【特許請求の範囲】
【請求項１】
タバコ製品の取り出しを容易にするタバコ製品用パケットであって、前記パケットは、
前記タバコ製品（３）を受容するように構成される少なくとも１つの携帯容器（４０；４０’）と、
前記携帯容器（４０；４０’）を収容する箱型本体（４１；４１’）であって、前記携帯容器（４０；４０’）が前記箱型本体（４１；４１’）に対して前記携帯容器（４０；４０’）が完全に前記箱型本体（４１；４１’）内に挿入された状態の閉じ位置と前記携帯容器（４０；４０’）の一部が前記箱型本体（４１；４１’）から引き出された状態の開放位置との間でスライド可能に前記携帯容器（４０；４０’）を収容する、箱型本体（４１；４１’）と、
前記箱型本体（４１；４１’）に対する前記携帯容器（４０；４０’）のスライドを制限して前記箱型本体（４１；４１’）からの前記携帯容器（４０；４０’）の分離を回避するように構成される停止手段（１６’’’, ４７）と、を備え、
各携帯容器（４０；４０’）は、
実質的に平行六面体の形状を有する内箱（５）であって、少なくとも１列（４）に並んで配置されかつ夫々が一方の端部に手でつかめるような取り出し部分と前記取り出し部分と反対側にある端部分とを備える細長いタバコ製品（３）からなる一群（２）を収容し、前記タバコ製品の前記端部分に位置する底壁（７）を更に備える内箱（５）と、
平行六面体の形状を有する外箱（６）であって、前記内箱（５）を前記タバコ製品（３）の軸線に対して平行にスライド可能に収容し、前記内箱（５）が、前記内箱（５）の底壁（７）が前記外箱（６）の底壁と隣接して全てのタバコ製品（３）が完全に前記内箱（５）内に含まれるような格納位置と前記内箱（５）が前記外箱（６）の上壁近くに位置するような抽出又は持ち上げ位置との間でスライドするのを可能にする外箱（６）と、を備え、
前記内箱（５）の前記底壁は、前記内箱（５）の中にある前記タバコ製品（３）の内の少なくとも１本の端部分に当接するように構成される支持部分（２６’）を形成し、
前記外箱（６）の前記上壁は、開口部（２２）を備え、
前記抽出又は持ち上げ位置に向かう実際の前記内箱（５）の各スライド動作は、前記支持部分（２６’）に当接する少なくとも１本のタバコ製品（３）の、前記外箱（６）の前記上壁に向かう軸方向移動を発生させ、前記タバコ製品（３）の取り出し部分を前記外箱（６）の前記開口部（２２）から外に出させることを特徴とする、パケット。
【請求項２】
前記停止手段は、少なくとも、携帯容器（４０；４０’）の外側に向かって携帯容器（４０）の夫々の大側壁（１５）から突出する第１タブ（１６’’’）と、前記箱型本体（４１；４１’）の内側に向かって前記箱型本体（４１；４１’）の夫々の大側壁（４５）から突出すると共に箱型本体（４１；４１’）の対応する開口部（４６）の近傍に位置する第２タブ（４７）と、を備え、
前記第１及び第２のタブ（１６’’’，４７）は、前記箱型本体（４１；４１’）からの前記携帯容器（４０；４０’）の抽出スライドの間、前記第１タブ（１６’’’）は前記第２タブ（４７）と結合した状態で配置されることを特徴とする、請求項１に記載のパケット。
【請求項３】
前記第１タブ（１６’’’）は、箱型本体（４１；４１’）からの携帯容器（４０；４０’）の抽出スライドの間、前記第１タブのエッジの１つ（４８）が前記箱型本体（４１；４１’）に対応する前記タブ（４７）の対応エッジ（４９）と接触するような位置に配置されることを特徴とする、請求項２に記載のパケット。
【請求項４】
各携帯容器（４０；４０’）に関連して、前記携帯容器（４０；４０’）を部分的に前記箱型本体（４１；４１’）の外に出させる手動操作を可能にするように構成された取り出し装置（６’）が設けられることを特徴とする、請求項１から３の何れか一項に記載のパケット。
【請求項５】
前記取り出し装置は、前記携帯容器（４０；４０’）に一体化されてパケット（１；１ａ；１ｂ；１ｃ；１ｄ）自身の本体の外側に突出する翼部（６’）を備えることを特徴とする、請求項４に記載のパケット。
【請求項６】
前記箱型本体（４１）の少なくとも１つの側壁（４５）には、少なくとも部分的に除去することができ、引き裂くことができる弱め線（６８）によって形成され、かつ前記携帯容器（４０；４０’）を部分的に前記箱型本体（４１；４１’）から出させるための実際の手動引っ張り操作を可能にするように構成された部分（６７）が設けられることを特徴とする、請求項１から３の何れか一項に記載のパケット。
【請求項７】
前記箱型本体（４１）の側壁（４５）には、実際に前記携帯容器（４０）の一部を箱型本体（４１’）から出させるために、携帯容器（４０’）に推力を付与するための使用者の指の通過を可能にするような形状とサイズの孔（９１）が設けられることを特徴とする、請求項１から３の何れか一項に記載のパケット。
【請求項８】
前記箱型本体（４１；４１’）の少なくとも１つの側壁（４５）には、少なくとも１つの携帯容器（４０；４０’）を前記箱型本体（４１；４１’）から出す前記開口部（４６）に近接して、前記携帯容器（４０；４０’）を前記箱型本体（４１；４１’）から部分的に抽出させるための、前記携帯容器（４０；４０’）への使用者の手動アクセスを可能にするように構成された少なくとも１つの凹部（７１）が設けられることを特徴とする、請求項１から３の何れか一項に記載のパケット。
【請求項９】
各携帯容器の前記内箱（５）の前記支持部分（２６’）の寸法は前記内箱（５）の横寸法よりも小さく、更に、前記群（２）の前記タバコ製品（３）の端部分が占有可能な前記支持部分（２６’）近くの前記内箱（５）の底部の残りの部分は、開いた状態にあってかつ前記支持部分（２６’）に当接しない前記タバコ製品（３）を、その内箱に関連した外箱（６）の底壁（１３）へと接触させることを特徴とする、請求項１から８の何れか一項に記載のパケット。
【請求項１０】
各携帯容器の前記外箱（６）には、喫煙者が手で、その外箱に関連した内箱（５）に作用して、前記格納位置と前記抽出又は持ち上げ位置との間で内箱（５）にスライド動作を起こさせる追加の開口部（１９；３６）が設けられることを特徴とする、請求項１から９の何れか一項に記載のパケット。
【請求項１１】
各携帯容器の前記内箱（５）は、その内箱に一体化されかつ前記追加の開口部（１９）を介してその内箱に関連した外箱（６）の外に出るつかみ要素（３５）を備えることを特徴とする、請求項１０に記載のパケット。
【請求項１２】
前記つかみ要素は、前記内箱（５）と一体化されたタブ（３５）を備え、
前記追加の開口部（１９）は前記内箱に関連した外箱（６）に形成された垂直スリット（３６）を備えることを特徴とする請求項１１に記載のパケット。
【請求項１３】
各携帯容器の前記内箱（５）は、前記支持部分（２６’）の作用域に向けて横断方向に前記タバコ製品（３）を押すように設計された弾性要素（３４）を収容することを特徴とする、請求項１から１２の何れか一項に記載のパケット。
【請求項１４】
前記箱型本体（４１）は、夫々の大側壁（１５）同士を並んで配置した２つの携帯容器（４０）を収容し、
前記携帯容器（４０）は実際に、互いに平行な反対方向へのスライド動作を行いながら、互いに対向する箱型本体（４１）の各側方部分を介して箱型本体（４１）の外へと出ることができることを特徴とする、請求項１から１３の何れか一項に記載のパケット。
【請求項１５】
前記箱型本体（４１）は、夫々の大側壁（１５）同士を並んで配置した２つの携帯容器（４０）を収容し、
前記携帯容器（４０）は実際に、互いに同じ方向へのスライド動作を行いながら、前記箱型本体（４１）の側方部分を介して前記箱型本体（４１）の外へと出ることができることを特徴とする請求項１から１３の何れか一項に記載のパケット。
【請求項１６】
前記箱型本体（４１’）は、前記箱型本体（４１’）それ自体の側方部分を介して実際に前記箱型本体（４１’）の外へと部分的に出ることができる携帯容器（４０）を収容することを特徴とする、請求項１から１３の何れか一項に記載のパケット。
【発明の詳細な説明】
【技術分野】
【０００１】
本発明は、タバコ製品の取り出しを容易にしたタバコ製品用パケットに関する。
【０００２】
以下の説明では、それによって本発明の範囲を制限することなく紙巻きタバコからなるタバコ製品を参照する。
【背景技術】
【０００３】
市場に存在する数種のタバコパケットは外箱を備え、その外箱はタバコの一群を収納する内箱をスライド可能に格納している。
【０００４】
内箱は、内箱が外箱内に完全に挿入される閉じ位置と、内箱が部分的に外箱から引き出された開放位置との間で、外箱の内側でスライドすることができる。
【０００５】
並進運動することによりスライドオープンする硬質タバコパケットの幾つかの実施形態は仏国特許出願公開第２４９９９４７（Ａ１）号明細書、米国特許第４５３４４６３（Ａ１）号明細書、米国特許５０８０２２７（Ａ１）号明細書、及び伊国特許出願１１６９１６３（Ｂ）号明細書に記載されている。
【０００６】
往々にして、内箱はその内部にあるタバコ群に対して側方からある量の圧縮力を付与している。タバコのパケットが新品であって、パケットが含むタバコの一群が全数である場合、タバコ群にかかる側方の圧縮力は比較的高く、そのタバコ群から最初のタバコを取り出すことは、そのタバコとそれを取り囲むタバコとの間の摩擦力のせいで全く困難となる場合がある。
【０００７】
そのタバコ群から最初のタバコ、更に必要なら他のタバコをも取り出すのを容易にするために提案された一つの解決策は、その群の中の少なくとも１本のタバコに引き出しテープを付け、テープの一端をタバコ群の上壁から突出させると共に、そのタバコを取り出せるようにテープの一端をつかんで引っ張れるようにデザインすることだった。
【０００８】
しかしながら、これらの引き出しテープは通常、つかまれるべきテープの端部とは反対側に位置するテープ内方端を内箱の１つの壁に接着しなければならない。このことは、タバコに接触するか、或いは接近した状態にある接着剤が揮発性物質を放つ可能性があり、それはタバコによって吸収されて紙巻きタバコのフレーバー及び／又は味を好ましくないものへと変えてしまう可能性があるという理由で、タバコパケットの内包装は常に接着剤のない状態に置かねばならなかったために大きな欠点を成すものである。
【発明の概要】
【発明が解決しようとする課題】
【０００９】
本発明は、タバコ製品の取り出しが容易でかつ上述した欠点を克服するタバコ製品用パケットを提供することを目的とする。
【課題を解決するための手段】
【００１０】
したがって、本発明は、添付した特許請求の範囲に記載されたような、タバコ製品の取り出しを容易にした、タバコ製品用パケットを提供する。
【００１１】
以下、発明の非限定的な実施形態を例証する添付図面を参照しながら本発明を説明する。
【図面の簡単な説明】
【００１２】
【図１】図１及び図２は２つの異なる作動状況における、本発明によるタバコ製品用パケットの斜視図である。
【図２】図１及び図２は２つの異なる作動状況における、本発明によるタバコ製品用パケットの斜視図である。
【図３】閉じた状態の、図１及び図２のパケット部分を成す箱型本体の斜視図である。
【図３ａ】図３の箱状体の概略的横断面図である。
【図４】図４及び図５は、２つの異なる作動状況における、図１及び図２のタバコ製品用パケット部分を成す携帯容器の斜視図である。
【図５】図４及び図５は、２つの異なる作動状況における、図１及び図２のタバコ製品用パケット部分を成す携帯容器の斜視図である。
【図６】図６及び図７は、図４及び図５の携帯容器部分を成し、夫々内、外側にある２つの容器の斜視図である。
【図７】図６及び図７は、図４及び図５の携帯容器部分を成し、夫々内、外側にある２つの容器の斜視図である。
【図８】図８及び図９は、図６及び図７の容器を製造するために使用される２つのブランクを示す平面図である。
【図９】図８及び図９は、図６及び図７の容器を製造するために使用される２つのブランクを示す平面図である。
【図１０】図３の箱型本体を作るために使用されるブランクの平面図である。
【図１１】先の図のパケットの一部の変形実施形態の斜視図である。
【図１２】先の図のパケットの一部の更なる変形実施形態の斜視図である。
【図１３】図１２の変形実施形態を成すために使用されるブランクの平面図である。
【図１４】図１４及び図１５は、２つの異なる作動状況における、図１及び図２のタバコ製品用パケットの変形実施形態の斜視図である。
【図１５】図１４及び図１５は、２つの異なる作動状況における、図１及び図２のタバコ製品用パケットの変形実施形態の斜視図である。
【図１６】図１４及び図１５のパケットの箱型本体を作るために使用されるブランクの平面図である。
【図１７】図１７及び図１８は、２つの異なる作動状況における、図１及び図２のタバコ製品用パケットの更なる変形実施形態の斜視図である。
【図１８】図１７及び図１８は、２つの異なる作動状況における、図１及び図２のタバコ製品用パケットの更なる変形実施形態の斜視図である。
【図１９】図１７及び図１８のパケットの箱型本体を作るために使用されるブランクの平面図である。
【図２０】図２０及び図２１は、２つの異なる作動状況における、図１及び図２のタバコ製品用パケットの更なる変形実施形態の斜視図である。
【図２１】図２０及び図２１は、２つの異なる作動状況における、図１及び図２のタバコ製品用パケットの更なる変形実施形態の斜視図である。
【図２２】図２２及び図２３は、２つの異なる作動状況における、図１及び図２のタバコ製品用パケットの別の変形実施形態の斜視図である。
【図２３】図２２及び図２３は、２つの異なる作動状況における、図１及び図２のタバコ製品用パケットの別の変形実施形態の斜視図である。
【図２４】図２２及び図２３のパケットの箱型本体を作るために使用されるブランクの平面図である。
【図２５】図２２及び図２３のパケットを作るために使用される更なるブランクの平面図である。
【発明を実施するための形態】
【００１３】
図１及び図２の番号１は、タバコ製品、特に紙巻きタバコのためのパケットであって、スライドオープン型の硬質パケットからなるパケット全体を示している。
【００１４】
本説明ではこれ以降、紙巻きタバコからなるタバコ製品を参照するが、それによって本発明の範囲を限定するものではない。
【００１５】
パケット１は、夫々がタバコ３の一群２（図６も参照）を受容する１組の携帯容器４０と、その外側の箱型本体４１とを備え、本体４１は、それぞれの大側壁１５を並べた状態で配置される各容器４０をスライド可能に収納し、各容器４０は箱型本体４１に対して、容器４０が完全に箱型本体４１に挿入された閉じ位置（図１に示す）と、携帯容器４０の一部が箱型本体４１から引き出された状態の開放位置（図２に示す）との間でスライドできるようになっている。図２に示すように、携帯容器４０は、互いに対向する箱型本体４１の各側方部分を介して、箱型本体４１から互いに平行な夫々の反対方向にスライド可能である。注目すべき重要なことは、２つの携帯容器４０が互いに独立して箱型本体４１に対しるスライドするということであり、したがって各容器４０の一方だけが開放位置にあったり、或いは（図２に示すように）両容器４０が共に開放位置にあることが可能であるということである。
【００１６】
以下の説明において、“垂直”（及び類似の用語）なる用語は、説明上、パケット内のタバコ３が、より平易な抜き出しのために夫々の軸線を垂直にして配置されかつ、パケット１からタバコ３自体が引き出される領域がパケット１の上部に位置する状態においてパケット１によって取られた位置を記述するために使用される。同様に、“上方”及び“下方”（更に、“上部”や“下部”のような類似語）なる用語は、パケットが垂直位置にある時、パケット１の対応する部分を指定するために使用される。
【００１７】
特に図３に示すように、箱型本体４１は平行六面体の形状を備え、その下端にある底壁４２と、その上端にある上壁４３と、底壁４２と上壁４３により夫々、上下で境界を区切られた外側面４４とを備えている。外側面４４は又、互いに平行に対向し垂直方向に配置された２つの大側壁４５によって形成され、それらは上下で底壁４２、上壁４３を介して互いに結合される。
【００１８】
水平方向に向かい合う箱型本体４１の２つの部分は、箱型本体４１の各小側面４６’を挟んで好ましくは（図１〜図３に示すように）真向かいに延びる対応開口部４６によって形成される。この開口部４６は、携帯容器４０を、同容器が閉じられたり（図１）開放されたりする（図２）上記位置間で移動させるように設計される。
【００１９】
図４〜図７に示すように、各携帯容器４０に関し、タバコ３の一群２は硬質の内箱５に含まれ、内箱３は、硬質の厚紙又は同種のものから作られる外箱６内で、内箱５が外箱６内部で最も低い位置にあるような格納位置（図４に示す）と、内箱５が外箱６内部で最も高い位置にあって１本のタバコ３が内箱５から部分的に（上方に）引き出された状態に保持されるような、持ち上げ又はタバコ抽出位置（図５に示す）との間で、真っ直ぐな垂直方向移動を伴い、垂直方向双方向でスライドできるように収納される。
【００２０】
各外箱６のエッジに沿ってその実質上途中にある垂直方向部分に一体化した形で、閉じ状態にあるパケット１に関して実質上開口部４６の中心には、外箱６に隣接するようにして翼部６’を備えたつかみ要素が設けられ、その翼部は、使用時、箱状本体４１から各箱６を部分的に引き出すべく手で摘んで引き出せるように、パケット１の本体から外に突き出ている。
【００２１】
内箱５（図６）は、実質上、“カップ”の形を伴った平行六面体形状であり、底壁７、互いに平行に向かい合った２つの大きな平行側壁８、及びこれら大側壁８の間に位置した２つの小さな平行側壁９、１０を備える。内箱５の開放した上端部１１は、小側壁１０の近傍で、一度に１本のタバコ３を引き出すための領域１２を形成し、内箱５が“持ち上げ”位置（その特徴及び目的は以下に説明する）にある時、その領域を介してパケット１からタバコ３を引き出すことができる。
【００２２】
特に図７に示したように、外箱６も平行六面体形状であり、その下方端に底壁１３、その上方端に上壁１４、互いに平行に向かい合いかつ図７では夫々前後に位置する２つの大側壁１５、１６、及び２つの小側壁１７、１８（夫々、左右に位置する）を備える。
【００２３】
外箱６の側壁１５、１８が接するエッジに沿って実質上中間の領域には、外箱６それ自体を作り上げるブランク２０に作られたスロット１９からなる開口部があり、この開口部を介して喫煙者は内箱５のフロント領域２１に触れることができる。スロット１９の形状及びサイズは、喫煙者がそのスロット１９それ自体を介して内箱５のフロント領域２１に押し動作を付与できるようなものになっており、内箱を垂直方向双方向に移動させ、それを外箱６の中で上述した格納・持ち上げ位置間でスライドさせるようになっている。尚、ここでは図示しないがパケット１の変形実施形態として、スロット１９は、大側壁１５の一方のみ（好ましくは、前方側壁）に形成されたり、小側壁１８の一方に形成されたりする場合もあることに留意されたい。
【００２４】
喫煙者によって与えられる内箱５の前部区域２１への手動押し動作を容易にするために、フロント領域２１の露出面にギザギザやその他の粗化機能を設けることも可能である。
【００２５】
外箱６の上壁１４は実質上、正方形となる開口部２２を備える。その開口部は、垂直方向においてタバコ３を引き出すための領域１２に並んでおり、実質上、図１及び図２の右側にあって外箱６のスロット１９に対向する内箱５の横方向端部分の上に位置することになる。
【００２６】
パケット１には、箱型本体４１に対する携帯容器４０のスライドを制限して、同携帯容器４０が箱型本体４１から完全に抜け出るのを防止するように設計された停止手段が設けられる。停止手段は、箱型本体４１に関しては、その箱型本体４１の大側壁５４から箱型本体４１それ自体の内側に向けて突出し、かつ箱型本体４１の夫々の対向する開口部４６近くに位置する２つの略台形タブ４７によって定義される。具体的には、図３に特に示されるように、パケット１が閉じられた時、携帯容器４０が箱型本体４１から部分的に引き出された際に箱型本体４１から外に出る壁１５の領域において、各タブ４７は携帯容器４０の同壁１５に当接する。又、好ましくは、各タブ４７は隣接する箱型本体４１の大側壁４５に接着される。
【００２７】
停止手段は、各携帯容器４０に関しては携帯容器４０の夫々の大側壁１５から外に突出し、かつ箱型本体４１の大側壁４５に対面配置される略台形タブ１６’’’によって定義される。図９にも示すように、タブ１６’’’は外箱６（故に携帯容器４０）の各大側壁１５の一部を成し、大側壁１５によって切断された切り口１６”によって形成される。
【００２８】
図３に示すように、各携帯容器４０のタブ１６’’’は、携帯容器４０が箱型本体４１から滑り出る際にタブの垂直エッジ４８が箱型本体４１の対応するタブ４７の対応垂直エッジ４９と接触し、ひいては携帯容器４０が箱型本体４１から抜け出てしまうのを回避するように配置される。
【００２９】
他方、仮にタブ４７が、隣接する箱型本体４１の大側壁４５に接着されていない場合、各タブ１６’’’はそれに隣接するタブ４７と、このタブ４７の傍らにある箱型本体４１の大側壁４５との間にある空間に挿入されるという事実によって、携帯容器４０は箱型本体４１からの抜け出しが回避される。
【００３０】
タバコパケット１の各携帯容器４０の箱５、６は、夫々図８及び図９に示された対応ブランク２３及び２０から得られる。各ブランク２３、２０は複数の要素から構成され、それらは可能なかぎり、各容器５又は６の対応要素を示すダッシュ無し参照番号と同じ参照番号（ダッシュ付き）で示されている。
【００３１】
図８を参照するに、ブランク２３は２本の長手方向弱め線２４と２本の横断方向弱め線２５を備え、それらによって（図の下から上にかけて）２本の長手方向弱め線２４の間に、一方の大側壁８を成すパネル８’、底壁７を成すパネル７’及び他方の大側壁８を成すパネル８’を形成している。
【００３２】
パネル８”は、図５の下側に位置し、左右に１組のサイドフラップ９’、１０’を夫々備え、それらは小側壁９、１０’の内方部分を構成すると共に、隣接するパネル８’の両側に位置し、パネル８’からは長手方向弱め線２４によって分離される。同様に、図８の上側に位置するパネル８’は、左右に１組のサイドフラップ９”、１０”を夫々備え、それらは小側壁９、１０’の外方部分を構成すると共に、隣接するパネル８’の両側に位置し、パネル８’からは縦方向の弱め線２４によって分離される。
【００３３】
底壁７を構成するパネル７’には、図８においてその左側部分に、左に向かって凹んだ略“Ｕ”字状の弱め線２６が設けられ、その凹みはパネル７’それ自体の２つの対辺を定める２本の長手方向弱め線２５の各部分に重なる２本の対向する長辺２７を備える。
【００３４】
弱め線２６は、パネル７’の右手に向けて、その端部から距離がタバコ３の直径より少し長くなるように延びる。パネル７’の右端部と弱め線２６との間に位置するパネル７’部分はこれ以降、参照番号２６’で示した“支持部分”と呼ぶことにする。
【００３５】
図９を参照するに、ブランク２０は２本の長手方向弱め線２８と、複数本の横断方向弱め線２９とを備え、それらによって（図の下から上にかけて）２本の長手方向弱め線２９の間に、一方の大側壁１５を成すパネル１５’、底壁１３を成すパネル１３’及び他方の大側壁１６を成すパネル１６’を形成する。
【００３６】
パネル１５’は、図９にあって左右夫々に１組のサイドフラップ１７’、１８’を備え、それらはパネル１５’それ自体の両側に位置し、パネル１５’からは長手方向弱め線２８によって分離され、実質的に長方形であり、夫々が壁１７、１８の外側部分を構成している。同様に、パネル１６’は図９にあって左右夫々に１組のサイドフラップ１７”、１８”を備え、それらはパネル１６’の両側に位置し、パネル１６’自体からは長手方向弱め線２８によって隔てられ、実質的に長方形であり、夫々が壁１７、１８の内側部分を構成している。フラップ１８”の図９の右側にある１つの縦辺の略中央部分には、これに一体化された形でブランク２０の外側に突出する略台形翼部６’が存在する。
【００３７】
フラップ１７”に隣接するパネル１６’の垂直方向中央部分には切り込み１６”が設けられ、その切り込みは、パネル１６’自体をフラップ１７”から分離する長手方向線２８の一部分にその大底辺を一致させる２等辺台形の小底辺と側辺の形状を実質的に辿っている。その切り込み１６”に囲まれたブランク部分が携帯容器４０の略台形タブ１６’’’を形成する。
【００３８】
図９において上側にあるサイドフラップ１７’、１８’の横辺は、パネル１３’をパネル１５’から隔てる横断方向弱め線２９の端部分によって２枚のフラップ３０へと接続され、それらフラップは夫々フラップ１７”、１８”へと延びて、ほぼ接触した状態となる。パネル１５’、１６’の夫々は、図９の下部と上部に夫々、横辺を配置し、その横辺はパネル１３’とは反対側の各フラップ３１に接続され、これらフラップは横断方向弱め線２９によって夫々のパネル１５’、１６’から分離されている。
【００３９】
横断方向弱め線２９の方向におけるフラップ３１の横寸法は、パネル１５’、１６’の横寸法よりも小さく、フラップ３１は各パネル１５’、１６’に対し、図９の右に位置してその幅がタバコ３の直径よりも僅かに大きい、パネル１５’、１６’の各側方部分を取り除いた形で配置される。
【００４０】
パネル１５’の、図９の右側に位置するエッジに接続されるサイドフラップ１８’には、その長手方向中央域に、ブランク２０が延びる長手方向に対して平行に走り、かつその深さがフラップ１８’自身の幅の半分にほぼ等しい凹部３２が設けられる。
【００４１】
パネル１６’と、図９の右側に位置するサイドフラップ１８”との接続領域は、その長手方向中央部に、ブランク２０が延びる長手方向に対して平行に走る略長方形の細長スロット３３によって遮断され、その長さは凹部３２の長さに実質上等しく、サイドフラップ１８”に対応するスロット部分の幅は凹部３２の幅に実質的に等しい。他方、パネル１６’上に位置するスロット部分の幅は、凹部３２の幅よりも大きいことが望ましく、実質的に７〜１０ｍｍに等しい。
【００４２】
図示しないが、本発明の変形実施形態として、スロット３３はパネル１６’上の如何なる位置に配置しても良く、図９に示したスロット３３の形状やサイズと異なるどんな場合であっても、任意の形状及びサイズを持つことが可能であることに留意されたい。
【００４３】
図１０を参照するに、箱型本体４１を成すブランク５０は、２本の長手方向弱め線５１と、複数本の横断方向弱め線５２とを備え、それらによって（図の下から上にかけて）２本の長手方向弱め線５１の間に、箱型本体４１の一方の大側壁４５を成すパネル５３、底壁４２を成すパネル５４、及び他方の大側壁４５を成すパネル５５を形成する。
【００４４】
パネル５３は、図１０の左右夫々に、パネル５３自体の両側に位置する１組のサイドフラップ５６、５７を備え、それらは長手方向弱め線５１によってパネル５３から分離され、略長方形の形状（フラップ５６）と二等辺台形の形状（フラップ５７）を夫々備えている。フラップ５７は上述したタブ４７の一方を構成する。図１０の左に位置するフラップ５６と一体を成すものが略長方形壁５８の右側に位置する縦辺である。
【００４５】
同様に、パネル５５は、図１０の左右夫々に、パネル５５の両側に位置する１組のサイドフラップ５９、６０を備え、それらは長手方向弱め線５１によってパネル５５から分離され、略長方形の形状（フラップ５９）と二等辺台形（フラップ６０）の形状を夫々備えている。フラップ５９は上述したタブ４７の一方を構成する。図１０の右に位置するフラップ６０と一体を成すものが略長方形壁５８の左側に位置する縦辺である。
【００４６】
図１０において夫々上部、下部に位置するサイドフラップ５６、６０の横辺は、各横断方向弱め線５２の端部分によって２枚のフラップ６２へと接続され、それらフラップは夫々フラップ５９、５７へと延びて、ほぼ接触した状態となる。図１０の下部、上部に夫々位置するサイドフラップ５６、６０の横辺は、各横断方向弱め線５２の端部分によって下方、上方に延びる２枚のフラップ６３へと接続される。
【００４７】
パネル５３、５５の夫々は、図１０の下部と上部に夫々、横辺を配置し、その横辺はパネル５４の反対側に位置する各フラップ６４、６５に接続され、これらフラップは横断方向の弱め線５２によって夫々のパネル５３、５５から分離されている。横断方向弱め線５２の方向におけるフラップ６４、６５の横寸法はパネル５３、５５の横寸法に等しい。図１０に上部に位置するフラップ６５には２つの凹み６６があり、これらの凹みは、箱型本体４１を組み立てる際にフラップ６３自体がフラップ６４、６５の部分と重ならないようにフラップ６３を受け入れる機能を持つ。
【００４８】
図８、図９及び図１０に示すブランク２３、２０及び５０では、各箱５、６と箱型本体４１を組み立てるために接着剤を塗布すべき部分は斜線域で表される。
【００４９】
内箱５は、各パネル８’をパネル７’自体に結合する横断方向の弱め線２５周りで、パネル７’に対し直角に各パネル８’を互いに向けて折り畳むことにより組み立てられる。次いで、サイドフラップ９’、１０’が、それらをパネル８’に結合する長手方向の弱め線２４周りで、２つのパネル８’間にある空間を覆うように直角に折り畳まれ、立ち代わってサイドフラップ９”、１０”が既に折り畳まれた状態にあるサイドフラップ９’、１０’の上に直角に折り畳まれる。上に明記したように、ブランク２３上の接着剤は、内箱５を、このようにして得られた形状に保持する。
【００５０】
外箱６は内箱５と同様な方法で組み立てられる。即ち、ここではパネル１５’、１６’がこれらをパネル１３’に結合する横断方向の弱め線２９周りで直角に折り畳まれ、サイドフラップ１７”、１８”が２枚のパネル１６’間にある空間を覆うように、サイドフラップ１７”、１８”は、各フラップをパネル１６’に結合する長手方向の弱め線２８周りに直角に折り畳まれ、各フラップ３０がこれらを各フラップ１７’、１８’に結合する横断方向の弱め線２９周りで直角に折り畳まれてパネル１３’上に配置され、そしてサイドフラップ１７’、１８’が既に折り畳まれた状態にある各サイドフラップ１７’、１８’の上に直角に折り畳まれる。これらの作業は、既に組み立てられてその内側にタバコ列４を収納した状態にある内箱５の周りで外箱６を形作ることによって遂行される。外箱６が完成した際には、フラップ３１は外箱６を閉じるように、重なり合って互いに直角に折り畳まれる。上に明記したように、ブランク２０上の接着剤は、外箱６を、このようにして得られた形状に保持する。
【００５１】
尚、内箱５の外側に位置する面上にあって、弱め線２６内に封入された内箱５のパネル７’部分には、各箱５，６が組み立てられた後でこの部分を外箱６のパネル１３’に接着させる接着剤が設けられることに留意されたい。
【００５２】
その結果として、ブランク２３は内箱５が作られている間は取り扱いが容易である。何故なら、弱め線２６が手つかずのままである限りにおいてはずっと底パネル７’が各パネル８’を互いに接続した状態であり、結果としてブランク２３に良好な形状安定性と充分な剛性を与えているからである。ひとたびパケット１が完成したならば、上述したように、そして以下に更に詳細に説明するように、初めて内箱５が外箱６内で上方にスライドさせられた際に、弱め線２６は裂かれ、内箱５は外箱６から完全に自由となり、内箱５の各壁８は、弱め線２６の外側にあるパネル７’の領域によってのみ互いに対し接続されたままとなる。その後は、内箱５は、弱め線２６の外側にあるパネル７’の領域だけを除いて、つまり壁７の支持部分２６’を除いて底が開口する。
【００５３】
換言すれば、上述したように内箱５の底壁は、引き裂き可能な弱め線２６が同じ底壁７の領域を区切るように作られる底壁７によって形成される。その領域外にある底壁７の一部分が支持部分２６’を形作り、その領域は接着剤によって外箱６の下壁１３に接続される。
【００５４】
箱型本体４１を組み立てるため、フラップ６２、６３は、これらフラップをフラップ５６、６０に結合する横断方向弱め線５２周りに直角に折り曲げられる。サイドフラップ５６及び５７については、これらフラップをパネル５３に結合する長手方向弱め線５１周りに、前者は直角に、後者は１８０度折り曲げられ、サイドフラップ５９及び６０については、これらフラップをパネル５５に結合する長手方向弱め線５１周りに、前者は１８０度、後者は直角に折り曲げられる。壁５８及び６１は次いで、これらをフラップ５６、６０に夫々結合する弱め線周りに直角に折り曲げられる。パネル５３、５５は、これらを箱形本体４１の底壁４２を構成するパネル５４に結合する横断方向弱め線５２周りに直角に折り曲げられ、それと同時にフラップ６２は箱型本体４１それ自体の内側にあるパネル５４の夫々の部分上に配置される。箱型本体４１を完成させるため、フラップ６５は、これをパネル５５に接続する横断方向線５２周りに直角に折り曲げられ、フラップ６４はこれをパネル５３に接続する横断方向線５２周りで直角に折り曲げられ、フラップ６５の上とフラップ６３の上に置かれる。
【００５５】
箱型本体４１におけるフラップ５６、５７、５９、６０及び壁５８、６１のパネル５３、５５の最終的な配置は図３ａに明確に示されており、同図は箱型本体４１に収容された携帯容器４０をも示す。
【００５６】
前述したようにブランク５０上の接着剤は、箱型本体４１を、このようにして得られた形に保持する。
【００５７】
使用においては、上述した内容に応じ、仮にタバコ３をパケット１から取り出す必要がない場合、パケット１の形状は図１に示したそれになり、携帯容器４０は完全に箱型本体４１の中に含まれる。
【００５８】
タバコ３を取り出すためには、タブ６を手で引っ張ることで箱型本体４１に対して携帯容器をスライドさせることにより、携帯容器４０の１つを部分的に箱型本体４１の外に取り出す必要である（図２）。上述したように、携帯容器４０は、上述したタブ４７、１６’’’からなる停止手段の作用により、箱型本体４１から完全に抜け出たり、極端に出過ぎたりするのが防止される。
【００５９】
携帯容器４０の一部が箱型本体４１の外にスライドされた際には、夫々の内箱５は、その底壁７が外箱６の底壁１３と接触した状態の最下の格納位置を占める。タバコ３の列４が実質的に垂直な平面内に横たわり、タバコ３の各軸線が水平方向に並ぶようにパケット１を事前に配置したことにより、内箱５内に収納されるタバコ３は内箱５の壁１０に向かって、タバコ軸線に垂直に並進スライドした。このスライドの結果、内箱５の壁１０に最も近いタバコ３が、壁１０それ自体に隣接する壁７の領域、言い換えれば支持部分２６’の上へと移動した。
【００６０】
パケット１からタバコ３を取り出すために、喫煙者がしなければならない全ては、内箱５のフロント領域２１上にある指を外箱６のスロット１９を介して押し、内箱５を格納位置から持ち上げ位置へと上方に付勢すること、及び壁７の支持部分２６’上にあるタバコ３の上方部分を外箱６の上壁１４の開口部２２から突き出させることである。
【００６１】
上記したように、内箱５の底部は、壁７の支持部分２６’を除いて開いた状態にあるため、列４内にある他のタバコ３は外箱６の底壁１３に接触した下降位置に留まる。
【００６２】
一旦、パケット１から部分的に突出するタバコ３が取り出されたならば、別のタバコ３を壁７の支持部分２６’上へと移動させるために、上述したようにフロント領域２１上の指を押すことで内箱５は元の格納位置まで戻されなければならない。
【００６３】
説明したようにタバコが取り出された後は、タバコ３を取り出した携帯容器４０は手で箱型本体４１内へと押し戻され、そして図１に示す初期位置へと戻る。
【００６４】
タバコ３を取り出した後の壁１０へのタバコ３へのスライドと、元の格納位置への内箱の戻りを容易にするために、内箱５の内部に、（例えば）板紙やプラスチック材料からなるシートを（例えば）ジグザグ状に折り畳むことで作られるバネからなり、内箱５の内部にあるタバコ３を壁１０に向かって、言い換えれば支持部分２６’の作用域に向かって横断方向に付勢可能な弾性要素３４（図１１）を収容することが可能である。
【００６５】
図１２は内箱５の別の変形実施形態を示しており、元の格納位置と持ち上げ位置との間の内箱５の双方向のスライドが、タブ３５からなるつかみ要素を上下に引くことで生じるようになっており、同タブは図１３にも示したように、内箱５それ自体のブランク２３のフラップ１０’の側方エッジと一体になっており、各ブランク２０に形成された垂直方向のスリット３６からなる開口部を介して外箱６から外へ出ている。
【００６６】
図１４及び図１５は、図１及び図２のパケット１の変形実施形態を構成するパケット１ａを示している。
【００６７】
パケット１ａでは、外箱６は、同箱６を箱型本体４１から部分的に引き出す際に手で摘んで引っ張れるようにパケット本体から外へと突出する翼部６’を持たない。
【００６８】
携帯容器４０の一部を箱型本体４１から引き出すような手動操作を可能にするために、箱型本体４１の大側壁４５の長手方向中央域には、これら大側壁に隣接する小側壁４６’の近傍に、引き裂き可能な各弱め線６８によって形成された各取り外し可能部分６７が設けられている（図１６に示したブランク５０’では、取り外し可能な部分６７は６７’と弱め線６８’で標識付けられており、可能な限り、ブランク５０’の各部分の参照標識は図１０のブランク５０の対応部分のそれと同じである）。これら取り外し可能部分６７を手でつかみ易くするために、同部分に隣接する小側壁４６’には、取り外し可能部分６７それ自体に隣接して夫々長方形の開口部６９’（図１６に示すブランク５０’では６９’と標識付けられている）が設けられる。尚、取り外し可能部分６７は容器４０のどんな側壁にも、或いは容器４０の１つ以上の側壁にも設けることが可能なことに留意されたい。
【００６９】
使用にあっては、取り外し可能部分６７を除去したり折り畳む際にパネル４５や側面４６’に作られた開口部７０を通して容器を指で付勢することで、携帯容器４０が箱型本体４１の外に向けてスライドするように作られるかもしれない。
【００７０】
図１７及び図１８は、図１及び図２のパケット１の別の変形実施形態を構成するパケット１ｂを示す。
【００７１】
携帯容器４０の一部を箱型本体４１から引き出すような手動操作を可能にするために、箱型本体４１の大側壁４５とフラップ４７の長手方向中央域には、これらに夫々隣接する開口部４６の近傍に、（図１９に示したブランク７０’において７１’の標識が付いたスロットの形をした）凹部７１が設けられる。好ましくは、各凹部７１は、箱型本体４１から各携帯容器４０を部分的に取り出すために喫煙者が凹部７１と隣接スロット１９を介して外箱６上に指を置けるように、凹部と隣接する外箱６のスロット１９にアクセス可能にする。その結果、携帯容器４０を箱型本体から側方に引き出す移動の後は、喫煙者の指が既にスロット１９にあり、タバコ３が取り出せるように内箱５を持ち上げ位置に向けて付勢可能な状態となる。
【００７２】
図２０及び図２１は、図１及び図２のパケット１の更なる変形実施形態を構成するパケット１ｃはパケットを示す。
【００７３】
パケット１ｃは、上述したパケット１、１ａ及び１ｂとでは、２つの携帯容器４０が単一の側方開口部４６”を介して箱型本体４１から出ることができること、換言すれば、夫々が他方と同じ方向で箱型本体４１の外や中に双方向スライドできるという点で異なる。
【００７４】
図２２及び図２３は、図１及び図２のパケット１の更なる変形実施形態を構成するパケット１ｄを示している。
【００７５】
パケット１ｄは、今まで説明したものの２倍の大きさを備える携帯容器であって使用時には箱型本体４１’それ自体の小側面にある開口部４６”を通って箱型本体４１’の中や外へと水平方向双方向にスライドできる単一の携帯容器４０’を含むように作られた箱型本体４１’を備える。
【００７６】
携帯容器４０’は、図６を参照して説明したタイプの２つの内箱６を、それらが各大側壁に沿って並置されるような状態で収容する。
【００７７】
携帯容器４０’の大側壁１５ｄと小側壁１８ｄが接する各エッジに沿って、その実質上中間にある領域にはスロット１９ｄを備えた開口部が設けられており、このスロットを介して喫煙者は、各内箱５の側方域２１ｄに触れ、内箱を格納位置と持ち上げ位置との間で垂直方向双方向に付勢することが可能である。尚、図示されないパケット１ｄの変形実施形態において、スロット１９ｄは大側壁１５ｄの一方（好ましくは前方の側壁）だけに形成されたり、小側壁１８ｄの１つに形成される場合もあることに留意されたい。
【００７８】
喫煙者によって内箱５のフロント領域２１ｄに与えられる手押し操作を容易にするために、同領域２１ｄの面にはギザギザやその他の粗化機能を設けるようにしても良い。
【００７９】
図示されないパケット１ｄの変形実施形態では、携帯容器４０’内での内箱５の双方向スライドは、図１２の内箱５の場合と同様に、内箱５に連動する上記タブ３５と同じ、上記垂直方向スリット３６と同じようなスリットを介して携帯容器４０’から出るタブ（図示しない）からなる各つかみ要素を使って、手で各内箱５を上下に引っ張ることで起こり得るかもしれない。
【００８０】
図２４を参照するに、パケット１ｄの箱型本体４１’を成すブランク２０ｄは、横断方向に延びる２本の弱め線８０と、長手方向に延びる複数本の弱め線８１とを備え、これらによって２本の横断方向弱め線８０の間には、パケット１ｄの１つの大側壁１５ｄを成すパネル８２、小側壁１８ｄを成すパネル８３、及びもう一方の大側壁１５ｄを成すパネル８４が形成される。パネル８２は１組のフラップ８５、８６を備え、それらはパネル８２の両側に位置し、パネル８２からは横断方向の弱め線８０によって隔てられパケット１ｄの底、上壁の外側部分を構成する。パネル８３は１組のフラップ８７、８８を備え、それらはパネル８３の両側に位置し、パネル８３からは横断方向の弱め線８０によって隔てられパケット１ｄの底、上壁の内側部分を構成する。パネル８４は１組のフラップ８９、９０を備え、それらはパネル８４の両側に位置し、パネル８４からは横断方向の弱め線８０によって隔てられパケット１ｄの底、上壁の内側部分を構成する。フラップ８７、８８とフラップ８９、９０は、それらがフラップ８５、８６に対して折り畳まれてパケット１ｄの上、底壁を形成する際には重なり合わないような形状になっている。
【００８１】
そして、パネル８３には、その実質的に中央領域に使用者の指を通過させるような形状とサイズを持った孔９１が設けられる。孔９１の目的は、パケット１ｄが図２２に示したような閉じ位置にある時、孔９１に面した携帯容器４０’の小側壁１８ｄに対して使用者が押圧アクションをとれるようにすることにより、箱型本体４１’からの携帯容器４０’の取り出しを容易にすることにある。
【００８２】
図２５に示され、パケット１ｄの携帯容器４０’を製造するために使用されるすブランク２０ｄは図９のブランク２０と同様であり、ここでは参照番号はブランク２０ｄのそれらと同一である。
【００８３】
ブランク２０とは異なり、ブランク２０ｄは、パネル１６’とサイドフラップ１８”の間、及びパネル１５’とサイドフラップ１８’の間の接続域の長手方向中央部に細長いスロット３３を配置する。ブランク２０ｄは又、２つの切り込み１６”を備え、その切り込みは夫々、略台形タブ１６’’’を形成し、その大底辺は、パネル１６’をフラップ１７”から分離する長手方向線２８の一部分と、パネル１５’をフラップ１７’から分離する長手方向線２８の一部分とに一致する。そして、ブランク２０ｄは翼部６’を持たない。
【００８４】
明確に特定しない場合でも、例えばつかみ要素３５やスロット１９のように、上述したパケット１、１ａ、１ｂ、１ｃ及び１ｄの各部分の変形実施形態の全ては全てのパケット１、１ａ、１ｂ、１ｃ及び１ｄに適用可能であることが理解されよう。
【００８５】
上述した携帯容器４０、４０’の夫々において、支持部分２６’と引き出し領域１２のサイズについては、タバコ３の直径の複数倍に実質的に等しいサイズとなり得ることに留意されたい。この場合、内箱５を上方に移動することで、２本以上のタバコ３の上方部分が領域１２を通って外にでることになる。そしてこれらタバコ３の内の１本を取り出した後は、喫煙者は内箱５を再度下げることになり、それにより部分的に突き出していた残りのタバコ３も外箱６の中に戻ることになる。
【００８６】
内箱５内のタバコ３は又、単一列４ではなく２列以上並んだ状態で配置される場合もあるかもしれない。この場合も又、支持部分２６’はその上に２本以上のタバコ３を並べる可能性があり、内箱５を上方に移動することで、２本以上のタバコ３の上方部分が領域１２を通って外にでることになるだろうし、これらタバコ３の内の１本を取り出した後は、喫煙者は内箱５を再度下げることになり、それにより部分的に突き出していた残りのタバコ３も外箱６の中に戻ることになる。
【図１】
2015513502.tif 000003
【図２】
2015513502.tif 000004
【図３】
2015513502.tif 000005
【図３ａ】
2015513502.tif 000006
【図４】
2015513502.tif 000007
【図５】
2015513502.tif 000008
【図６】
2015513502.tif 000009
【図７】
2015513502.tif 000010
【図８】
2015513502.tif 000011
【図９】
2015513502.tif 000012
【図１０】
2015513502.tif 000013
【図１１】
2015513502.tif 000014
【図１２】
2015513502.tif 000015
【図１３】
2015513502.tif 000016
【図１４】
2015513502.tif 000017
【図１５】
2015513502.tif 000018
【図１６】
2015513502.tif 000019
【図１７】
2015513502.tif 000020
【図１８】
2015513502.tif 000021
【図１９】
2015513502.tif 000022
【図２０】
2015513502.tif 000023
【図２１】
2015513502.tif 000024
【図２２】
2015513502.tif 000025
【図２３】
2015513502.tif 000026
【図２４】
2015513502.tif 000027
【図２５】
2015513502.tif 000028
【国際調査報告】
2015513502.tif 000029
2015513502.tif 000030
2015513502.tif 000031